【事件の表示】
　商願２００１−９２７０９拒絶査定不服審判事件について、次のとおり審決する。
【結　論】
　原査定を取り消す。
　本願商標は、登録すべきものとする。
【理　由】
１　本願商標
　本願商標は、「ｃｅＬｕｘ」の欧文字を書してなり、第３類、第１４類、第１８類及び第２８類に属する願書記載の商品を指定商品として、平成１３年１０月１６日に登録出願されたものであるが、その後、指定商品については、同１５年８月１１日付け手続補正書により、第３類「つけづめ，つけまつ毛，かつら装着用接着剤，つけまつ毛用接着剤，洗濯用でん粉のり，洗濯用ふのり，靴クリーム，靴墨，塗料用剥離剤」、第１４類「身飾品（「カフスボタン」を除く。），カフスボタン，時計，貴金属，貴金属製食器類，貴金属製の花瓶及び水盤，貴金属製針箱，貴金属製宝石箱，貴金属製のろうそく消し及びろうそく立て，貴金属製のがま口及び財布，貴金属製靴飾り，貴金属製コンパクト，貴金属製喫煙用具，宝玉及びその模造品，宝玉の原石，記念カップ，記念たて」、第１８類「かばん類，袋物，傘，愛玩動物用被服類，原革，原皮，なめし皮，毛皮，革ひも，携帯用化粧道具入れ，ステッキ，つえ，つえ金具，つえの柄，乗馬用具」及び第２８類「おもちゃ，人形，遊戯用器具，ビリヤード用具，囲碁用具，将棋用具，さいころ，すごろく，ダイスカップ，ダイヤモンドゲーム，チェス用具，チェッカー用具，手品用具，ドミノ用具，マージャン用具，愛玩動物用おもちゃ，運動用具，釣り具」と補正されたものである。
　
２　引用商標
　原査定において、本願の拒絶の理由に引用した登録商標は以下のとおりである。
（１）登録第１４２１４０５号商標は「ＳＥＬＥＸ」の文字を書してなり、昭和５１年７月１３日登録出願、第２４類に属する商標登録原簿に記載のとおりの商品を指定商品として、昭和５５年６月２７日に設定登録されたものである。
（２）登録第１５７８３０９号商標は「ＳＥＬＥＸ」の文字を書してなり、昭和５３年３月１６日登録出願、第２１類に属する商標登録原簿に記載のとおりの商品を指定商品として、昭和５８年３月２８日に設定登録されたものである。
（３）登録第２５０７８４３号商標は「ＳＥＬＥＸ」の文字を書してなり、平成２年９月２７日登録出願、第２０類に属する商標登録原簿に記載のとおりの商品を指定商品として、平成５年２月２６日に設定登録されたものである。
（４）登録第２５１６４０３号商標は「ＳＥＬＥＸ」の文字を書してなり、平成２年９月１９日登録出願、第６類に属する商標登録原簿に記載のとおりの商品を指定商品として、平成５年３月３１日に設定登録されたものである。
（５）登録第２５１６４０９号商標は「ＳＥＬＥＸ」の文字を書してなり、平成２年９月２７日登録出願、第２１類に属する商標登録原簿に記載のとおりの商品を指定商品として、平成５年３月３１日に設定登録されたものである。
（６）登録第２５３８１７１号商標は「ＳＥＬＥＸ」の文字を書してなり、平成２年９月２７日登録出願、第１８類に属する商標登録原簿に記載のとおりの商品を指定商品として、平成５年５月３１日に設定登録されたものである。
（７）登録第２５５８７２６号商標は「セレックス」の文字を書してなり、平成３年６月２７日登録出願、第１８類に属する商標登録原簿に記載のとおりの商品を指定商品として、平成５年７月３０日に設定登録されたものである。
（８）登録第２５６１１２６号商標は「ＳＥＬＥＸ」の文字を書してなり、平成２年４月１２日登録出願、第３類に属する商標登録原簿に記載のとおりの商品を指定商品として、平成５年７月３０日に設定登録されたものである。
（９）登録第２５６３８８２号商標は「ＳＥＬＥＸ」の文字を書してなり、平成２年９月２７日登録出願、第２７類に属する商標登録原簿に記載のとおりの商品を指定商品として、平成５年８月３１日に設定登録されたものである。
（１０）登録第２５６８４３８号商標は「セレックス」の文字を書してなり、平成３年６月２７日登録出願、第２１類に属する商標登録原簿に記載のとおりの商品を指定商品として、平成５年８月３１日に設定登録されたものである。
（１１）登録第２５８８８２３号商標は「セレックス」の文字を書してなり、平成３年６月２０日登録出願、第６類に属する商標登録原簿に記載のとおりの商品を指定商品として、平成５年１０月２９日に設定登録されたものである。
（１２）登録第２６１７５５０号商標は「セレックス」の文字を書してなり、平成３年６月２７日登録出願、第２７類に属する商標登録原簿に記載のとおりの商品を指定商品として、平成６年１月３１日に設定登録されたものである。
（１３）登録第２６２７９０６号商標は「セレックス」の文字を書してなり、平成２年９月２７日登録出願、第３類に属する商標登録原簿に記載のとおりの商品を指定商品として、平成６年２月２８日に設定登録されたものである。
（１４）登録第２６３６２９１号商標は「セレックス」の文字を書してなり、平成３年６月２７日登録出願、第２０類に属する商標登録原簿に記載のとおりの商品を指定商品として、平成６年３月３１日に設定登録されたものである。
（１５）登録第２７１５４５８号商標は「ＳＥＬＥＸ」の文字を書してなり、平成２年４月１２日登録出願、第３４類に属する商標登録原簿に記載のとおりの商品を指定商品として、平成８年７月３１日に設定登録されたものである。
（１６）登録第２７１５４５９号商標は「セレックス」の文字を書してなり、平成２年９月２７日登録出願、第３４類に属する商標登録原簿に記載のとおりの商品を指定商品として、平成８年７月３１日に設定登録されたものである。
（１７）登録第４４８３７３２号商標は「セレックス」の文字を書してなり、平成１２年６月２６日登録出願、第１６類に属する商標登録原簿に記載のとおりの商品を指定商品として、平成１３年６月２２日に設定登録されたものである。
（１８）登録第４５６７８３１号商標は「セレックス」及び「ＳＥＬＥＸ」の文字を書してなり、平成１３年６月２９日登録出願、第２類、第９類及び第１６類に属する商標登録原簿に記載のとおりの商品を指定商品として、平成１４年５月１７日に設定登録されたものである。
（上記（１）ないし（１８）の登録商標をまとめて、以下「引用商標」という。）
　
３　当審の判断
　本願商標は、「ｃｅＬｕｘ」の欧文字を書してなるところ、これは特定の観念を生じさせない造語よりなるものというのが相当であり、これよりは「セリュックス」又は「セラックス」の称呼が生ずるものと認められる。
　他方、引用商標よりは、その構成文字に相応して「セレックス」の称呼を生ずるものである。
　そこで、本願商標より生ずる「セラックス」の称呼と引用商標より生ずる「セレックス」の称呼を比較すると、共に全体の音数が促音を含む５音の比較的短い称呼において、第２音における「ラ」と「レ」の差異を有し、これに続く音が促音であるため、差異音が強く明瞭に発音され、称呼全体に及ぼす影響は大きなものとなり、称呼上相紛れるおそれはないものというのが相当である。
　また、本願商標と引用商標とは、観念において相紛れるおそれはないものであり、さらに、それぞれの構成よりみて外観上も区別し得るものである。
　してみると、本願商標と引用商標とは、その外観、称呼及び観念のいずれの点よりみても類似しない商標といわざるを得ない。
　したがって、本願商標が商標法第４条第１項第１１号に該当するとした原査定は、妥当でなく、取消しを免れない。
　その他、政令で定める期間内に本願について拒絶の理由を発見しない。
　よって、結論のとおり審決する。